(57)【要約】【課題】巻掛かり時における剛性の低減による低燃費化及び長寿命化を図ることのできるゴムクローラ用芯金を提供すること。【解決手段】一対のガイド突起１２−１、１２−２が、クローラ本体の周方向の一方側に狭い間隔で所定長さ突出する狭幅突起部１２ａ−１、１２ａ−２と、クローラ本体の周方向の他方側に広い間隔で所定長さ突出する広幅突起部１２ｂ−１、１２ｂ−２とを有しており、狭幅突起部１２ａ−１、１２−２が、隣り合う芯金の広幅突起部１２ｂ−１、１２ｂ−２の間に所定長さ入り込むオーバーラップ領域Ｏを有するように埋設されるゴムクローラ用芯金において、狭幅突起部１２ａ−１、１２ａ−２と広幅突起部１２ｂ−１、１２ｂ−２の対向面の間隔は、オーバーラップ領域Ｏの略中央位置が最も狭く、狭幅突起部及び広幅突起部の周方向先端部ｐ、ｑに向かって漸次広くなるように構成した。【選択図】図１
2010274752.tif 000002
【特許請求の範囲】
【請求項１】
無端帯状のクローラ本体に、該クローラ本体の周方向に一定の間隔をおいて埋設され、該埋設状態における前記クローラ本体の内周面側に突出する一対のガイド突起を有し、
前記一対のガイド突起は、前記クローラ本体の周方向の一方側に狭い間隔で所定長さ突出する狭幅突起部と、前記クローラ本体の周方向の他方側に広い間隔で所定長さ突出する広幅突起部と、を有しており、
前記狭幅突起部が、隣り合う芯金の前記広幅突起部の間に所定長さ入り込むオーバーラップ領域を有するように埋設されるゴムクローラ用芯金において、
前記広幅突起部と前記狭幅突起部の対向する壁部の対向面の間隔は、
前記オーバーラップ領域の略中央位置が最も狭く、前記狭幅突起部及び前記広幅突起部の先端方向のそれぞれに向かって漸次広くなっていることを特徴とするゴムクローラ用芯金。
【請求項２】
前記対向する壁部の間隔は、
前記狭幅突起部及び前記広幅突起部の前記オーバーラップ領域の略中央位置から先端側にそれぞれの突起部が先端に向かって細くなるようにアールを設けることによって形成されたことを特徴とする請求項１に記載のゴムクローラ用芯金。
【請求項３】
前記対向する壁部の間隔は、
前記狭幅突起部及び前記広幅突起部の前記オーバーラップ領域の略中央位置から先端側にそれぞれの突起部が先端に向かって細くなるようにテーパを設けることによって形成されたことを特徴とする請求項１に記載のゴムクローラ用芯金。
【発明の詳細な説明】
【技術分野】
【０００１】
本発明は、ゴムクローラ用芯金、特にクローラ本体の周方向に沿って複数並列して埋設され、該埋設状態におけるクローラ本体の内周面側に一対のガイド突起が突出形成されたゴムクローラ用芯金に関する。
【背景技術】
【０００２】
内部に芯金を有するゴムクローラは、クローラ本体の周方向に複数の芯金が並べて配置されている。それらの芯金は通常全て同一形状である。芯金には、クローラ本体の幅方向の略中央部に一対のガイド突起が形成されており、これらのガイド突起の間をスプロケット及びアイドラーが通過する。なお、スプロケット及びアイドラーは、ゴムクローラに駆動力を与えるものである。
【０００３】
上述のように、一対のガイド突起を有する芯金が埋設されたゴムクローラの例が特許文献１、２に開示されている。図３は、特許文献１、２に記載されているゴムクローラ用芯金に係り、同図（ａ）は概略平面図、同図（ｂ）は同図（ａ）の要部拡大平面図である。図示のように、クローラ本体の周方向に、芯金１０が複数並列して配置されており、この各芯金１０−１、１０−２のクローラ本体の内周面側には、一対のガイド突起１２−１、１２−２がそれぞれ突出形成されている。
【０００４】
一対のガイド突起１２−１、１２−２は、中央部２０を挟んで立設されており、クローラ本体の周方向の前方、後方で互いの間隔が異なるように形成されている。すなわち、一方側が間隔の狭い狭幅突起部１２ａ−１、１２ａ−２と、他方側が間隔の広い広幅通過部１２ｂ−１、１２ｂ−２となっている。これら狭幅突起部１２ａ−１、１２ａ−２と広幅突起部１２ｂ−１、１２ｂ−２とは連続部１２ｃ−１、１２ｃ−２を介して繋がっている。
【０００５】
また、芯金１０−１と芯金１０−２の間の一方の狭幅突起部１２ａ−１、１２ａ−２は、他方の広幅突起部１２ｂ−１、１２ｂ−２とオーバーラップ領域Ｏで、クローラ本体の周方向において重なり合うように構成されている。
【０００６】
ゴムクローラは、上記のゴムクローラ用芯金１０にゴム部材が被せられて製作される。ゴム部材の被覆は、ゴム原材料を加硫させることにより行われる。上記のオーバーラップ領域Ｏの狭幅突起部１２ａ−１、１２ａ−２と広幅突起部１２ｂ−１、１２ｂ−２との部分においては、芯金１０の底部接地面側にゴム原材料を置いて加流するため、この突起部間には、ゴム部材が接地面側から内周面側へと入り込むこととなる。すなわち、完成したゴムクローラの狭幅突起部１２ａ−１、１２ａ−２と広幅突起部１２ｂ−１、１２ｂ−２との間にはゴム部材が介在している。
【０００７】
ここで、上記の狭幅突起部１２ａ−１と広幅突起部１２ｂ−１のオーバーラップ領域Ｏに注目すると、図３（ｂ）に示すように、その対向面の間隔がクローラ本体の周方向に略均一、すなわち狭い間隔で略平行に壁部が対向する領域Ｃが存在する。この領域Ｃにおいては、狭幅突起部１２ａ−１、１２ａ−２と広幅突起部１２ｂ−１、１２ｂ−２との間隔は狭くなっており、そこに在るゴム部材の戻り剛性により、脱輪防止の効果が十分に発揮できるように構成されている。したがって、オーバーラップ領域Ｏを確保することで狭幅突起部１２ａ−１、１２ａ−２と広幅突起部１２ｂ−１、１２ｂ−２の係合状態を安定させ、芯金１０がクローラ本体の横方向にずれること及び所定の係合状態を逸脱する、いわゆる脱臼の発生の防止を図ることが可能になっている。
【０００８】
図４は、上記芯金１０に係る概略側面図であり、同図（ａ）はゴムクローラがスプロケット又はアイドラーに巻掛っていない状態を、同図（ｂ）は巻掛かった状態を示す。
【０００９】
幅広突起部１２ｂ−１、１２ｂ−２及び狭幅突起部１２ａ−１、１２ａ−２は、前述のようにクローラ本体の周方向に突出して形成されており、突出している部分の基端部１２ｄ−１、１２ｄ−２、１２ｅ−１、１２ｅ−２は、図４（ｂ）に示すように芯金１０の底部２２付近まで延在している。
【００１０】
ゴムクローラがスプロケット又はアイドラーに巻掛かった場合には、図４（ｂ）に示すように、オーバーラップ領域Ｏが広がってオーバーラップ領域Ｏ’となる。したがって、オーバーラップ領域狭幅突起部１２ａ−１、１２ａ−２と広幅突起部１２ｂ−１、１２ｂ−２との間の狭い間隔で略平行に壁部が対向する領域Ｃのゴム部材は、ゴムクローラがスプロケット又はアイドラーに巻掛かった場合にせん断変形を起こすこととなる。
【００１１】
なお、クローラ本体のゴム部材の弾性率と、狭幅突起部と広幅突起部の間に介入するゴム部材の弾性率を変えた構成が、特許文献３に開示されている。この特許文献３によれば、狭幅突起部と広幅突起部との間のゴム部材の弾性率を高めることでゴムクローラの軌道逸脱の危険を減少させることができるとしている。
【先行技術文献】
【特許文献】
【００１２】
【特許文献１】特開平２−２６７０８４号公報
【特許文献２】特開平９−１５０７５９号公報
【特許文献３】特開２００８−１２７０１５号公報
【発明の概要】
【発明が解決しようとする課題】
【００１３】
図３及び図４に示した特許文献１、２に開示されているゴムクローラ用芯金を用いて製作されたゴムクローラ及び特許文献３に開示されているゴムクローラは、上述のように何れも狭幅突起部１２ａ−１、１２ａ−２と広幅突起部１２ｂ−１、１２ｂ−２との間にゴム部材が入り込んだ構成になっている。また、ゴムクローラがスプロケット又はアイドラーに巻掛かったときに、狭幅突起部１２ａ−１、１２ａ−２と広幅突起部１２ｂ−１、１２ｂ−２とのオーバーラップ領域Ｏが、前述の図４（ｂ）に示すようにその領域が広がり、オーバーラップ領域Ｏ’となる。したがって、狭い間隔で略平行に壁部が対向する領域Ｃの間に入り込んでいるゴム部材は、高い曲げ剛性でせん断変形を起こすこととなる。その結果、ゴムクローラの駆動に必要なエネルギが増え、燃費が悪くなり、更に、狭い間隔で略平行に壁部が対向する領域Ｃのゴム部材がせん断変形を繰り返すので、劣化が早く、ゴムクローラの寿命が短い等の耐久性の問題もあった。
【００１４】
本発明は、上記課題に鑑みてなされたものであり、その目的は、巻掛かり時における剛性の低減による低燃費化及び長寿命化を図ることのできるゴムクローラ用芯金を提供することにある。
【課題を解決するための手段】
【００１５】
上記目的を達成するため、請求項１に記載のゴムクローラ用芯金は、
無端帯状のクローラ本体に、該クローラ本体の周方向に一定の間隔をおいて埋設され、該埋設状態における前記クローラ本体の内周面側に突出する一対のガイド突起を有し、前記一対のガイド突起は、前記クローラ本体の周方向の一方側に狭い間隔で所定長さ突出する狭幅突起部と、前記クローラ本体の周方向の他方側に広い間隔で所定長さ突出する広幅突起部と、を有しており、前記狭幅突起部が、隣り合う芯金の前記広幅突起部の間に所定長さ入り込むオーバーラップ領域を有するように埋設されるゴムクローラ用芯金において、
前記広幅突起部と前記狭幅突起部の対向する壁部の対向面の間隔は、前記オーバーラップ領域の略中央位置が最も狭く、前記狭幅突起部及び前記広幅突起部の先端方向のそれぞれに向かって漸次広くなっていることを特徴とする。
【００１６】
この構成により、狭幅突起部及び広幅突起部の対向する壁部間に在るゴム部材は、狭幅突起部及び広幅突起部が周方向の先端に向かって漸次広くなっている分だけゴム部材の量が多くなっており、狭幅突起部と広幅突起部との対向する壁部間にあるゴム部材は、従来の狭い間隔で略平行に壁部が対向する構成に比べて、曲げ剛性は減少する。したがって、対向する壁部間の最も狭い部分の間隔が上記従来のものと同じ又はより狭い構成であっても、ゴム部材の量を多く確保できることからせん断応力は小さくなり、ゴムクローラがスプロケット又はアイドラーに巻掛かる際の変形に対する耐久性が確保される。また、ゴムクローラがスプロケット又はアイドラーに巻掛かる際の曲げ剛性が減少し変形抵抗が小さくなることから、ゴムクローラを駆動するためのエネルギを小さくすることができる。したがって、ゴムクローラの低燃費化及び長寿命化を図ることが可能である。
【００１７】
請求項２に記載のゴムクローラ用芯金は、請求項１に記載のゴムクローラ用芯金において、
前記対向する壁部の間隔は、前記狭幅突起部及び前記広幅突起部の前記オーバーラップ領域の略中央位置から先端側にそれぞれの突起部が先端に向かって細くなるようにアールを設けることによって形成されたことを特徴とする。したがって、狭幅突起部及び広幅突起部の周方向の先端部分に応力が集中することを防止しながら、ゴムクローラの曲げ剛性を低くすることができる。
【００１８】
請求項３に記載のゴムクローラ用芯金は、請求項１に記載のゴムクローラ用芯金において、
前記対向する壁部の間隔は、前記狭幅突起部及び前記広幅突起部の前記オーバーラップ領域の略中央位置から先端側にそれぞれの突起部が先端に向かって細くなるようにテーパを設けることによって形成されたことを特徴とする。したがって、簡単な構成で、狭幅突起部及び広幅突起部の周方向の先端部分に応力が集中すること防止しながら、ゴムクローラの曲げ剛性を低くすることができる。
【発明の効果】
【００１９】
本発明のゴムクローラ用芯金によれば、埋設した状態では、広幅突起部と狭幅突起部の対向する壁部の対向面の間隔が、オーバーラップ領域の略中央位置で最も狭く、狭幅突起部及び広幅突起部の先端方向のそれぞれに向かって漸次広くなっている。したがって、本発明のゴムクローラ用芯金を用いたゴムクローラは、スプロケット又はアイドラーに巻掛かる際に、それらの突起部間に在るゴム部材のせん断応力が小さくなり、曲げ剛性を低くすることができる。その結果、ゴムクローラの低燃費化が達成され、ゴムクローラの耐久性が向上する。したがって、燃費の良好なゴムクローラを長期間に亘り使用することが可能である。
【図面の簡単な説明】
【００２０】
【図１】本発明のゴムクローラ用芯金の実施の形態に係り、同図（ａ）は芯金の概略平面図、同（ｂ）は同図（ａ）の要部拡大平面図である。
【図２】本発明のゴムクローラ用芯金の他の実施の形態に係り、同図（ａ）は芯金の概略平面図、同（ｂ）は同図（ａ）の要部拡大平面図である。
【図３】従来のゴムクローラ用芯金に係り、同図（ａ）は芯金の概略平面図、同図（ｂ）は同図（ａ）の要部拡大平面図である。
【図４】従来のゴムクローラ芯金に係り、芯金の概略側面図であって、同図（ａ）はゴムクローラが巻掛かっていない状態、同図（ｂ）はゴムクローラが巻掛かった状態を示す。
【発明を実施するための形態】
【００２１】
本発明の実施の形態を、以下図面を参照しながら詳述する。図１は、本発明のゴムクローラ用芯金に係り、同図（ａ）は概略平面図、同図（ｂ）は同図（ａ）の要部拡大平面図である。ゴムクローラ用芯金１０は背景技術で示した従来の芯金と同様に、略中央部に一対のガイド突起１２−１、１２−２を有している。
【００２２】
一対のガイド突起１２−１、１２−２は、中央部２０を挟んで立設されており、クローラ本体の周方向の前方、後方で互いの間隔が異なるように形成されている。すなわち、一方側が間隔の狭い狭幅突起部１２ａ−１、１２ａ−２と、他方側が間隔の広い広幅通過部１２ｂ−１、１２ｂ−２となっている。これら狭幅突起部１２ａ−１、１２ａ−２と広幅突起部１２ｂ−１、１２ｂ−２とは連続部１２ｃ−１、１２ｃ−２を介して繋がっている。
【００２３】
また、芯金１０の狭幅突起部１２ａ−１、１２ａ−２は、隣り合う芯金１０の広幅突起部１２ｂ−１、１２ｂ−２とオーバーラップ領域Ｏで、クローラ本体の幅方向において重なり合うように構成されている。このオーバーラップ領域Ｏの存在により、芯金１０のゴムクローラ幅方向へのずれ及び脱臼の防止が図られる。
【００２４】
従来の芯金と異なる点は、図１（ｂ）の要部拡大平面図に示すように、広幅突起部１２ｂ−１、１２ｂ−２と狭幅突起部１２ａ−１、１２ａ−２とが対向面の間隔にある。すなわち、芯金１０の埋設状態において、上記の間隔はクローラ本体の周方向に略均一ではなく、オーバーラップ領域Ｏの略中央位置で最も狭く、ここから狭幅突起部１２ａ−１、１２ａ−２及び広幅突起部１２ｂ−１、１２ｂ−２の周方向先端部ｐ、ｑに向かって漸次広くなっている。本実施の形態では、対向する壁部の間隔は、狭幅突起部１２ａ−１、１２ａ−２及び広幅突起部１２ｂ−１、１２ｂ−２のオーバーラップ領域Ｏの略中央位置から先端側にそれぞれの突起部が先端に向かって細くなるようにＲ（アール）を設けることによって形成されている。
【００２５】
具体的には、芯金１０を平面視した場合、広幅突起部１２ｂ−１、１２ｂ−２には、クローラ本体の周方向と平行な直線部１４ｂ−１、１４ｂ−２が存在し、この直線部１４ｂ−１、１４ｂ−２に連続して円弧状に形成されたＲ（アール）状部１６ｂ−１、１６ｂ−２が設けられている。直線部１４ｂ−１とＲ状部１６ｂ−１との接続点ｔ１は、オーバーラップ領域Ｏの略中間であり、また芯金１０−１と隣り合う芯金１０−２との略中間でもある。同様に、狭幅突起部１２ａ−１、１２ａ−２には、クローラ本体の周方向と平行な直線部１４ａ−１、１４ａ−２が存在し、この直線部１４ａ−１、１４ａ−２に連続して円弧状に形成されたＲ状部１６ａ−１、１６ａ−２が設けられている。直線部１４ａ−１とＲ状部１６ａ−との接続点ｔ２は、オーバーラップ領域Ｏの略中間であり、また芯金１０−１と隣り合う芯金１０−２との略中間でもある。
【００２６】
この構成により、直線部１４ａ−１、１４ｂ−１とＲ状部１６ａ−１、１６ｂ−１との接続部（変曲点）ｔ１、ｔ２間で、狭幅突起部１２ａ−１と広幅突起部１２ｂ−１との間隔が最も狭くなり、この接続点ｔ１、ｔ２から狭幅突起部１２ａ−１及び広幅突起部１２ｂ−１の周方向先端部ｐ、ｑに向かって間隔が広がることとなる。狭幅突起部１２ａ−２と広幅突起部１２ｂ−２に関しても同様である。前述したように背景技術の図３（ｂ）で示したような、狭い間隔で略平行に壁部が対向する領域Ｃは存在しない。
【００２７】
したがって、狭幅突起器部１２ａ−１、１２ａ−２と広幅突起部１２ｂ−１、１２ｂ−２との間にあるゴム部材は、狭幅突起部１２ａ−１、１２ａ−２及び広幅突起部１２ｂ−１、１２ｂ−２が周方向の先端に向かって漸次広くなっている分だけゴム部材の量が多くなっており、狭幅突起部１２ａ−１、１２ａ−２と広幅突起部１２ｂ−１、１２ｂ−２との対向する壁部間にあるゴム部材は、従来の狭い間隔で略平行に壁部が対向する構成に比べて、曲げ剛性は減少する。したがって、対向する壁部間の最も狭い部分の間隔が上記従来のものと同じ又はより狭い構成であっても、ゴム部材の量を多く確保できることからせん断応力は小さくなり、ゴムクローラがスプロケット又はアイドラーに巻掛かる際の変形に対する耐久性が確保される。また、ゴムクローラがスプロケット又はアイドラーに巻掛かる際の曲げ剛性が減少し変形抵抗が小さくなることから、ゴムクローラを駆動するためのエネルギを小さくすることができる。したがって、ゴムクローラの低燃費化及び長寿命化を図ることが可能である。
【００２８】
また、狭幅突起部１２ａ−１、１２ａ−２と広幅突起部１２ｂ−１、１２ｂ−２の周方向の先端部分がＲ状に形成されているので、応力の集中を防止しながら曲げ剛性を小さくすることが可能である。更に、狭幅突起部１２ａ−１、１２ａ−２と広幅突起部１２ｂ−１、１２ｂ−２の対向面の間隔は、埋設状態において、芯金１０間の略中央部で最小であることから、ゴムクローラの曲げ剛性を低くしながら、クローラ本体の幅方向の剛性を確保し、脱輪防止を効果的に図ることが可能になっている。
【００２９】
図２は、本発明のゴムクローラ用芯金に係り、その他の実施の形態を示すものであり、同図（ａ）は概略平面部、同図（ｂ）は同図（ａ）の要部拡大平面図である。本実施の形態では、芯金１０の埋設状態において、狭幅突起部１２ａ−１、１２ａ−２と広幅突起部１２ｂ−１、１２ｂ−２の間隔は、上記の実施の形態と同様に略均一になる領域がなく、狭幅突起部１２ａ−１、１２ａ−２及び広幅突起部１２ｂ−１、１２ｂ−２の周方向先端部ｐ、ｑに向かって漸次広くなっている。本実施の形態では、対向する壁部の間隔は、狭幅突起部１２ａ−１、１２ａ−２及び広幅突起部１２ｂ−１、１２ｂ−２のオーバーラップ領域Ｏの略中央位置から先端側にそれぞれの突起部が先端に向かって細くなるようにテーパを設けることによって形成されている。
【００３０】
具体的には、芯金１０を平面視した場合、広幅突起部１２ｂ−１、１２ｂ−２には、クローラ本体の周方向と平行な直線部１４ｂ−１、１４ｂ−２が存在し、この直線部１４ｂ−１、１４ｂ−２に連続して形成された第２の直線部１８ｂ−１、１８ｂ−２が設けられている。直線部１４ｂ−１と第２の直線部１８ｂ−１との接続点ｔ３は、オーバーラップ領域Ｏの略中間であり、また芯金１０−１と隣り合う芯金１０−２との略中間でもある。同様に、狭幅突起部１２ａ−１、１２ａ−２には、クローラ本体の周方向と平行な直線部１４ａ−１、１４ａ−２が存在し、この直線部１４ａ−１、１４ａ−２に連続して形成された第２の直線部１８ａ−１、１８ａ−２が設けられている。直線部１４ａ−１と第２の直線部１８ａ−１との接続点ｔ４は、オーバーラップ領域Ｏの略中間であり、また芯金１０−１と隣り合う芯金１０−２との略中間でもある。
【００３１】
狭幅突起部１２ａ−１、１２ａ−２に係る第２の直線部１８ａ−１、１８ａ−２は、接続点ｔ４（オーバーラップ領域Ｏの略中間）から、上記直線部１４ａ−１、１４ａ−２と所定の角度を為して、クローラ本体の幅方向の中心側へ向かう直線である。広幅突起部１２ｂ−１、１２ｂ−２に係る第２の直線部１８ｂ−１、１８ｂ−２は、接続点ｔ３（オーバーラップ領域Ｏの略中間）から、上記直線部１４ｂ−１、１４ｂ−２と所定の角度を為してクローラ本体の幅方向の外側へ向かう直線である。その他の構成は上述した実施の形態と同様である。
【００３２】
この構成により、直線部１４ａ−１、１４ｂ−１と第２の直線部１８ａ−１、１８ｂ−１との接続部（変曲点）ｔ３、ｔ４間で、狭幅突起部１２ａ−１と広幅突起部１２ｂ−１との間隔が最も狭くなり、この接続点ｔ３、ｔ４から狭幅突起部１２ａ−１及び広幅突起部１２ｂ−１の周方向先端部ｐ、ｑに向かって間隔が広がることとなる。狭幅突起部１２ａ−２と広幅突起部１２ｂ−２に関しても同様である。したがって、上記の実施の形態と同様に本実施の形態においても、背景技術の図３（ｂ）で示したような、狭い間隔で略平行に壁部が対向する領域Ｃは存在しない。
【００３３】
したがって、上記の実施の形態と同様に、狭幅突起部１２ａ−１、１２ａ−２と広幅突起部１２ｂ−１、１２ｂ−２との間に存在するゴム部材は、狭幅突起部１２ａ−１２ａ−２及び広幅突起部１２ｂ−１、１２ｂ−２が周方向の先端に向かって漸次広くなっている分だけゴム部材の量が多くなっており、狭幅突起部１２ａ−１、１２ａ−２と広幅突起部１２ｂ−１、１２ｂ−２との対向する壁部間にあるゴム部材は、従来の狭い間隔で略平行に壁部が対向する構成に比べて、曲げ剛性は減少する。したがって、対向する壁部間の最も狭い部分の間隔が上記従来のものと同じ又はより狭い構成であっても、ゴム部材の量を多く確保できることからせん断応力は小さくなり、ゴムクローラがスプロケット又はアイドラーに巻掛かる際の変形に対する耐久性が確保される。また、ゴムクローラがスプロケット又はアイドラーに巻掛かる際の曲げ剛性が減少し変形抵抗が小さくなることから、ゴムクローラを駆動するためのエネルギを小さくすることができる。したがって、ゴムクローラの低燃費化及び長寿命化を図ることが可能である。
【００３４】
また、狭幅突起部１２ａ−１、１２ａ−２と広幅突起部１２ｂ−１、１２ｂ−２の周方向の先端部分がテーパ状に形成されているので、応力の集中を受けることがなく、簡単な構成で曲げ剛性を小さくすることが可能である。更に、狭幅突起部１２ａ−１、１２ａ−２と広幅突起部１２ｂ−１、１２ｂ−２の対向面の間隔は、埋設状態において、芯金１０間の略中央部で最小であることから、ゴムクローラの曲げ剛性を低くしながら、ゴムクローラの幅方向の剛性を確保し、脱輪防止を効果的に図ることが可能である。
【００３５】
なお、本発明は、上述の実施の形態に限定されるものではなく、本発明の趣旨を逸脱しない範囲で種々の変更が可能である。例えば、狭幅突起部と広幅突起部は、連続部で繋がっている芯金について示したが、狭幅突起部と広幅突起部が別々の芯金に形成され、一つの芯金においては、狭幅突起部又は広幅突起部がクローラ本体の周方向の前後双方向に突出形成されており、一つの芯金の狭幅突起部又は広幅突起部が隣り合う他の芯金の広幅突起部又は狭幅突起部の間に所定の長さ入り込む構成の芯金にも適用できる。
【符号の説明】
【００３６】
１０  ゴムクローラ用芯金
１４ａ−１、１４ａ−２、１４ｂ−１、１４ｂ−２  直線部
１６ａ−１、１６ａ−２、１６ｂ−１、１６ｂ−２  Ｒ（アール）状部
１８ａ−１、１８ａ−２、１８ｂ−１、１８ｂ−２  第２の直線部
１２−１、１２−２  ガイド突起
１２ａ−１、１２ａ−２  狭幅突起部
１２ｂ−１、１２ｂ−２  広幅突起部
１２ｃ−１、１２ｃ−２  連続部
Ｏ、Ｏ’  オーバーラップ領域
Ｃ  略平行に壁部が対向する領域
ｐ、ｑ  突起部の周方向先端部
ｔ１、ｔ２、ｔ３、ｔ４  接続点（変曲点）
【図１】
2010274752.tif 000003
【図２】
2010274752.tif 000004
【図３】
2010274752.tif 000005
【図４】
2010274752.tif 000006